(57)【要約】【課題】遊技盤裏面の部品実装領域を拡大することができるパチンコ機を提供する。【解決手段】本発明のパチンコ機では、遊技盤９を機器本体２に固定するためのロックユニット１０が遊技盤９側に設けられており、このロックユニット１０は、遊技盤９に一体的に設けられた支持部材２４と、支持部材２４に回転可能に支持された操作部材２６と、支持部材２４に直線方向へスライド可能に支持された駆動部材２５とを有し、作業者が操作部材２６を回転操作すると、その回転運動が駆動部材２５の直線運動に変換されることにより、駆動部材２５がロック位置とアンロック位置間をスライド移動して機器本体２のロック孔２０と係脱可能となっている。【選択図】図１２
2017006543.tif 000002
【特許請求の範囲】
【請求項１】
外枠と、この外枠に第１ヒンジ機構を介して開閉可能に支持された機器本体と、この機器本体に取り付けられた遊技盤と、この遊技盤の前面を覆うように機器本体に第２ヒンジ機構を介して開閉可能に支持されたガラス扉とを備え、前記機器本体と前記遊技盤がロック機構を介して着脱可能となっているパチンコ機において、
前記ロック機構が前記遊技盤に設けられたロックユニットと前記機器本体に設けられたロック孔とによって構成されており、前記ロックユニットが、前記遊技盤に一体的に設けられた支持部材と、この支持部材に支持されて前記遊技盤の盤面と平行な面内方向に移動可能な駆動部材とを有し、前記駆動部材をロック位置とアンロック位置との間で直線方向へスライド操作することにより、該駆動部材が前記ロック孔と係脱可能となっていることを特徴とするパチンコ機。
【請求項２】
請求項１の記載において、前記ロックユニットが、前記支持部材に回転可能に支持された操作部材と、この操作部材の回転運動を前記駆動部材の直線運動に変換する動力変換機構とを有していることを特徴とするパチンコ機。
【請求項３】
請求項２の記載において、前記動力変換機構が前記操作部材に設けられた駆動突起と前記駆動部材に設けられた長孔とで構成されており、前記駆動突起が前記長孔内に移動可能に挿入されていると共に、前記長孔が前記駆動部材のスライド方向と交差する方向に延びていることを特徴とするパチンコ機。
【請求項４】
請求項３の記載において、前記操作部材が前記支持部材を挟んで一体化された操作摘みと回転板とで構成されており、この回転板の回転中心から離れた周縁部に前記駆動突起が立設されていることを特徴とするパチンコ機。
【請求項５】
請求項４の記載において、前記回転板の外周面に径方向外側へ山形状に突出するカム部が形成されていると共に、前記支持部材に前記カム部と摺接可能な係合突起が設けられており、前記駆動部材をロック位置からアンロック位置に移動させるとき、前記操作部材の回転に伴って前記カム部の頂点が前記係合突起を乗り越えるようにしたことを特徴とするパチンコ機。
【発明の詳細な説明】
【技術分野】
【０００１】
本発明は、遊技盤を有する機器本体に対してガラス扉が開閉可能に支持されているパチンコ機に係り、特に、遊技盤を機器本体に着脱可能に取り付けるためのロック機構に関するものである。
【背景技術】
【０００２】
一般的にパチンコ機は、遊技場の島設備に設置される縦長方形状の外枠と、この外枠にヒンジ部を介して開閉可能に取り付けられた機器本体と、この機器本体に設置された遊技盤と、機器本体の前面に別のヒンジ部を介して開閉可能に取り付けられたガラス扉とを備えており、ガラス扉の中央部に開設された窓孔には遊技盤の遊技領域を目視可能な透明板が取り付けられている。遊技盤には、電装部品の一つである液晶表示装置が取り付けられる他、それ以外の電装部品として遊技に関する制御を行う制御処理装置等が取り付けられており、この遊技盤と機器本体はロック機構を介して着脱可能となっている。
【０００３】
かかるロック機構の従来例として、特許文献１に記載されているように、先端部にロック操作体を有するロック片を機器本体の前面側に設けると共に、このロック片を挿通させることができる受入孔を遊技盤に穿設し、受入孔をロック片に挿入しながら遊技盤を機器本体の前面に装着した後、ロック操作体を回転操作して受入孔の周りにおける遊技盤の前面に係合させることにより、遊技盤を機器本体に固定するという構成が知られている。
【先行技術文献】
【特許文献】
【０００４】
【特許文献１】特開２００８−６１５０号公報
【発明の概要】
【発明が解決しようとする課題】
【０００５】
しかし、特許文献１に記載された従来構造では、機器本体における遊技盤の裏面と対向する部位にロック片が設けられており、このロック片に対して遊技盤の厚み方向（前後方向）に設けられた受入孔を挿入するようになっているため、遊技盤の裏面にロック片との当接を回避する逃げスペースが必要となり、当該スペースによって遊技盤の裏面の部品実装領域が狭められてしまうという問題があった。
【０００６】
本発明は、このような従来技術の実情に鑑みてなされたもので、その目的は、遊技盤裏面の部品実装領域を拡大することができるパチンコ機を提供することにある。
【課題を解決するための手段】
【０００７】
上記の目的を達成するために、本発明のパチンコ機は、外枠と、この外枠に第１ヒンジ機構を介して開閉可能に支持された機器本体と、この機器本体に取り付けられた遊技盤と、この遊技盤の前面を覆うように機器本体に第２ヒンジ機構を介して開閉可能に支持されたガラス扉とを備え、前記機器本体と前記遊技盤がロック機構を介して着脱可能となっているパチンコ機において、前記ロック機構が前記遊技盤に設けられたロックユニットと前記機器本体に設けられたロック孔とによって構成されており、前記ロックユニットが、前記遊技盤に一体的に設けられた支持部材と、この支持部材に支持されて前記遊技盤の盤面と平行な面内方向に移動可能な駆動部材とを有し、前記駆動部材をロック位置とアンロック位置との間で直線方向へスライド操作することにより、該駆動部材が前記ロック孔と係脱可能となっているという構成にした。
【０００８】
このように構成されたパチンコ機では、遊技盤を機器本体に固定するためのロックユニットが遊技盤側に設けられており、このロックユニットの構成部材である駆動部材をロック位置とアンロック位置との間で直線方向へスライド操作することによって、この駆動部材が機器本体に設けられたロック孔と係脱可能となっているため、遊技盤の裏面にロック機構との当接を回避する逃げスペースを確保しなくても良く、その分だけ遊技盤裏面の部品実装領域を拡大することができる。
【０００９】
上記の構成において、ロックユニットが、支持部材と駆動部材に加えて、支持部材に回転可能に支持された操作部材と、この操作部材の回転運動を駆動部材の直線運動に変換する動力変換機構とを有していると、操作部材の回転操作により遊技盤を機器本体に対して簡単に着脱することができて好ましい。
【００１０】
この場合において、動力変換機構が操作部材に設けられた駆動突起と駆動部材に設けられた長孔とで構成されており、この突起が長孔内に移動可能に挿入されていると共に、長孔が駆動部材のスライド方向と交差する方向に延びていると、操作部材の軽い操作力によって駆動部材を確実にスライドさせることができて好ましい。
【００１１】
また、上記の構成において、操作部材が支持部材を挟んで一体化された操作摘みと回転板とで構成されており、この回転板の回転中心から離れた周縁部に駆動突起が立設されていると、ロックユニットの組立作業を簡単に行うことができて好ましい。
【００１２】
また、上記の構成において、回転板の外周面に径方向外側へ山形状に突出するカム部が形成されていると共に、支持部材にカム部と摺接可能な係合突起が設けられており、駆動部材をロック位置からアンロック位置に移動させるとき、操作部材の回転に伴ってカム部の頂点が係合突起を乗り越えるようにすると、駆動部材をロック位置に安定的に保持することができると共に、作業者が駆動部材のロック／アンロックの切替動作をクリック感（節度感）を伴って知覚することができて好ましい。
【発明の効果】
【００１３】
本発明のパチンコ機によれば、機器本体に着脱可能に取り付けられる遊技盤裏面の部品実装領域を拡大することができる。
【図面の簡単な説明】
【００１４】
【図１】本発明の実施形態例に係るパチンコ機の斜視図である。
【図２】図１に示すパチンコ機のガラス扉を開放した状態を示す斜視図である。
【図３】該パチンコ機に備えられる機器本体の正面図である。
【図４】図３のIV−IV線に沿う断面図である。
【図５】図４のＡ部拡大図である。
【図６】図３に示す機器本体に取り付けられる遊技盤の斜視図である。
【図７】該遊技盤の裏面を示す斜視図である。
【図８】該遊技盤の側面図である。
【図９】該遊技盤に設置されるロックユニットの正面図である。
【図１０】図９のＸ−Ｘ線に沿う断面図である。
【図１１】図９のXI−XI線に沿う断面図である。
【図１２】該ロックユニットの分解斜視図である。
【図１３】該ロックユニットの前部組立体を裏面側から見た斜視図である。
【図１４】該ロックユニットの後部組立体の斜視図である。
【図１５】該後部組立体の側面図である。
【図１６】該ロックユニットのロック／アンロック動作を示す説明図である。
【発明を実施するための形態】
【００１５】
発明の実施の形態について図面を参照して説明すると、図１〜図５に示すように、本発明の実施形態例に係るパチンコ機は、遊技場の島設備に設置される縦長方形状の外枠１と、外枠１に扉状に開閉自在に取り付けられた機器本体２と、機器本体２の前面に扉状に開閉自在に取り付けられたガラス扉３等を備えており、ガラス扉３にはガラスやプラスチック等からなる透明板４が取り付けられている。
【００１６】
外枠１の左側枠部には上側軸受け体５と下側軸受け体６が固着されており、これら一対の軸受け体５，６に機器本体２の左側枠部に設けられた上下のピン（図示せず）が軸支されることにより、機器本体２は外枠１に第１ヒンジ機構を介して開閉可能に支持されている。
【００１７】
機器本体２の左側枠部には上側ヒンジ板７と下側ヒンジ板８が設けられており、図示せぬが、上側ヒンジ板７には取付孔が形成されると共に、下側ヒンジ板８には支軸が立設されている。そして、ガラス扉３の左側枠部の上部に設けた取付ピンを上側ヒンジ板７の取付孔に挿入すると共に、ガラス扉３の左側枠部の下面に設けた軸孔を下側ヒンジ板８の支軸に挿入することにより、ガラス扉３は機器本体２に第２ヒンジ機構を介して開閉可能に支持されている。
【００１８】
機器本体２の上部には遊技盤９が設置されており、この遊技盤９の左側部は機器本体２の左側枠部に設けられた凹所（図示せず）に掛止めされているが、遊技盤９の右側部はロック機構を介して機器本体２と着脱可能となっている。詳細については後述するが、このロック機構は、遊技盤９の右側上部と下部に設けられた一対のロックユニット１０と、これらロックユニット１０に対応するように機器本体２の右側枠部に設けられた一対のロック孔２０とによって構成されている（図５参照）。
【００１９】
遊技盤９の盤面（前面）はガイドレール１１等によって区画形成された遊技領域１２となっており、この遊技領域１２はガラス扉３の透明板４を透して目視可能となっている。図示省略されているが、遊技領域１２には始動入賞口、一般入賞口、アタッカー装置、遊技釘、風車、アウト口等が設けられており、遊技盤９の裏面側には、電装部品の一つである液晶表示装置が取り付けられる他、それ以外の電装部品として遊技に関する制御を行う制御処理装置等が取り付けられている。また、遊技盤９よりも下方の機器本体２はガラス扉３によって覆い隠される設置部２ａとなっており、この設置部２ａにはスピーカ１３や発射装置１４等が配設されている。
【００２０】
機器本体２の右側枠部にはシリンダ錠１５ａを有する施錠装置１５が設置されており、図示せぬが、この施錠装置１５は機器本体２の裏面に配置された後部施錠杆と機器本体２の前面に配置された前部施錠杆とを備えている。常態では、施錠装置１５の後部施錠杆により外枠１に対して機器本体２が施錠されると共に、前部施錠杆により機器本体２に対してガラス扉３が施錠されている。そして、シリンダ錠１５ａの鍵穴に図示せぬ鍵を差し込み、この鍵を一方向（例えば時計回り）へ回動すると、後部施錠杆が上動して機器本体２が開錠されるようになっている。また、シリンダ錠１５ａの鍵穴に差し込んだ鍵を他方向（反時計回り）へ回動すると、前部施錠杆が上動してガラス扉３が開錠されるようになっている。
【００２１】
図１に示すように、ガラス扉３には遊技盤９の盤面に対向する大きな窓孔３ａが開設されており、この窓孔３ａは透明板４によって塞がれている。ガラス扉３前面下部には、遊技盤９の裏面に配設された賞球払出装置（図示せず）から払い出された遊技球を収容する上段受皿１６と、上段受皿１６から排出された遊技球を収容する下段受皿１７と、遊技者による押下および回転操作が可能な演出操作ユニット１８とが設けられており、下段受皿１８の斜め右下方には発射装置１４の発射強度を調整するための操作ハンドル１９が配設されている。さらに、下段受皿１８の斜め右上方にはスピーカ１３の音を放射するグリル部３ｂが設けられており、このスピーカ１３によって遊技に関する様々な効果音を発するようになっている。
【００２２】
図６〜図８に示すように、遊技盤９はアクリル樹脂等からなる透明なベース板２１を有し、このベース板２１の前面にガイドレール１１等を有する合成樹脂製の前面板２２が積層・一体化されている。図７と図８では省略されているが、ベース板２１の裏面には前述した液晶表示装置や制御処理装置等が搭載されており、これら液晶表示装置や制御処理装置は保護カバー２３によって覆われている。また、ベース板２１の前面における右上部と右下部に前述したロックユニット１０がそれぞれ配設されており、これらロックユニット１０の基本的構成や動作は同じであるため、以下、下部側のロックユニット１０について図５と図９〜図１６を参照しつつ詳細に説明する。
【００２３】
このロックユニット１０は、遊技盤９に一体的に設けられた支持部材２４と、支持部材２４に移動可能に支持された駆動部材２５と、この駆動部材２５をロック位置とアンロック位置との間で直線的にスライド移動させる操作部材２６とによって構成されている。
【００２４】
支持部材２４は、ベース板２１の前面にねじ止め等の手段を用いて固定された合成樹脂製の前部ケース２７と、この前部ケース２７の裏面にねじ止め等の手段を用いて接合・一体化された合成樹脂製の後部ケース２８とからなり、後部ケース２８はベース板２１に形成された切欠き２１ａの内部に収納されている（図７参照）。なお、下部側のロックユニット１０における前部ケース２７は前面板２２と別体に形成されているが、上部側のロックユニット１０のように前部ケース２７と前面板２２を一体形成することも可能である。
【００２５】
前部ケース２７の前面に凹所２７ａが形成されており、この凹所２７ａには軸孔２７ｂと一対の規制溝２７ｃが穿設されている。これら規制溝２７ｃは軸孔２７ｂを介して対向しており、いずれも軸孔２７ｂを中心に円弧状に延びている。また、前部ケース２７の裏面にはガイドリブ２７ｄが形成されており、このガイドリブ２７ｄは軸孔２７ｂを中心に円弧状に延びている。
【００２６】
後部ケース２８の右側面は開口されており、この後部ケース２８の内面には上下方向に所定間隔を存して対向する一対のガイドレール２８ａが形成されている。これらガイドレール２８ａは左右方向へ延びており、両ガイドレール２８ａで挟まれた領域内にはストッパ突起２８ｂが形成されている。また、後部ケース２８の内面上部には係合突起２８ｃが一体形成されており、この係合突起２８ｃは弾性変形しやすいように片持ち状に形成されている。
【００２７】
駆動部材２５は先端（右端部）側にロック部２５ａを有する横長平板状の樹脂成形品であり、その中央部には長孔２５ｂが形成されている。長孔２５ｂは駆動部材２５の幅方向（上下方向）に長いトラック形状をしているが、内周面の一部を外側に窪ませた係止部２５ｃが形成されている。また、駆動部材２５の裏面には長手方向（左右方向）に延びる凹溝２５ｄが形成されており、この凹溝２５ｄはロック部２５ａの先端から内方の途中位置にかけて形成されている（図１６参照）。
【００２８】
駆動部材２５の上辺と下辺にはそれぞれガイド突起２５ｅが形成されており、これらガイド突起２５ｅを後部ケース２８のガイドレール２８ａに挿入することにより、図１４と図１５に示すように、後部ケース２８と駆動部材２５は後部組立体としてアセンブリされ、この状態で駆動部材２５は後部ケース２８に左右方向へスライド可能に保持される。その際、駆動部材２５の凹溝２５ｄが後部ケース２８のストッパ突起２８ｂに摺動可能に挿入されるため、駆動部材２５のスライド移動に伴って凹溝２５ｄの奥側端面がストッパ突起２８ｂに当接することで、後部ケース２８の開放端から突出するロック部２５ａの最大突出量が規定されるようになっている。
【００２９】
図５に示すように、操作部材２６は、前部ケース２７の凹所２７ａ内に配置された操作摘み２９と、前部ケース２７の背面側に配置された合成樹脂製の回転板３０とで構成されており、これら操作摘み２９と回転板３０はネジ３１を用いて一体化されている。
【００３０】
操作摘み２９は前部ケース２７の軸孔２７ｂに回転可能に支持されているが、その背面に形成された一対の突起２９ａを前部ケース２７の規制溝２７ｃに挿入することにより、操作摘み２９を回転操作できる範囲は所定角度（約９０度）に規定されている。なお、操作摘み２９は前部ケース２７の凹所２７ａ内に収容されており、この前部ケース２７は遊技盤９の前面板２２と同じ厚みであるため、ロックユニット１０を遊技盤９の厚み範囲内に収めることが可能となっている（図８参照）。
【００３１】
回転板３０の前面中央部には軸部３０ａが形成されており、この軸部３０ａを前部ケース２７の軸孔２７ｂに挿入して操作摘み２９にねじ止めすることにより、図１３に示すように、前部ケース２７と操作摘み２９および回転板３０の三者は前部組立体としてアセンブリされ、この状態で回転板３０の前面周縁部が前部ケース２７の背面に形成されたガイドリブ２７ｄに圧接される。また、回転板３０の回転中心から離れた裏面周縁部には駆動突起３０ｂが形成されており、この駆動突起３０ｂは外周面の一部を山形状にした突出部３０ｃを有している。回転板３０の外周面は回転中心からの距離を異にするカム形状となっており、その一部に径方向外側へ突出する山形状のカム部３０ｄが形成されている。
【００３２】
そして、図１３に示す前部組立体の背面側から図１４に示す後部組立体を重ね合わせて両者をねじ止めすると、駆動部材２５の長孔２５ｂに回転板３０の駆動突起３０ｂが挿入されるため、回転板３０の回転運動が駆動突起３０ｂと長孔２５ｂの係合部分を介して駆動部材２５の直線運動に変換されることになる。すなわち、これら駆動突起３０ｂと長孔２５ｂによって、回転板３０（操作部材２６）の回転運動を駆動部材２５の直線運動に変換する動力変換機構が構成されている。また、このように前部組立体と後部組立体を一体化すると、後部ケース２８の係合突起２８ｃが回転板３０の外周面に圧接された状態となり、回転板３０の回転に伴って係合突起２８ｃとカム部３０ｄの相対位置が変化することになる。
【００３３】
次に、このように構成されたロックユニット１０のロック／アンロック切替動作を主として図１６に基づいて説明する。なお、図１６はロックユニット１０を裏面側から見た説明図である。
【００３４】
遊技盤９がロック機構を介して機器本体２に固定された状態にあるとき、上下一対のロックユニット１０の操作摘み２９はいずれも横向き姿勢に保持されており（図２，３参照）、図１６（ａ）に示すように、駆動部材２５のロック部２５ａは後部ケース２８から突出して機器本体２のロック孔２０と係合している。このとき回転板３０に設けられた駆動突起３０ｂの突出部３０ｃは駆動部材２５に穿設された長孔２５ｂの係止部２５ｃと係合しており、後部ケース２８の係合突起２８ｃが回転板３０のカム部３０ｄの斜面に弾接しているため、駆動部材２５はロック孔２０と係合するロック位置に安定的に保持されている。
【００３５】
遊技盤９を機器本体２から取り外す場合は、ガラス扉３を開放した状態で作業者が操作摘み２９を時計回りに回転操作すると、回転板３０の駆動突起３０ｂが図１６（ａ）の矢印Ｐ方向へ回転して長孔２５ｂ内を移動するため、図１６（ｂ）に示すように、駆動部材２５がガイドレール２８ａに沿って後部ケース２８の内方（図１６の右方向）へスライド移動し、それに伴ってロック部２５ａがロック孔２０から後退し始める。そして、操作摘み２９を垂直姿勢になるまで回転操作すると、図１６（ｃ）に示すように、駆動部材２５が後部ケース２８の最奥部までスライド移動し、それに伴ってロック部２５ａがロック孔２０から外れて後部ケース２８内に入り込むため、駆動部材２５はロック孔２０との係合を解除したアンロック位置に保持される。
【００３６】
この間、回転板３０は前部ケース２７の背面に形成されたガイドリブ２７ｄ上を摺動するため、回転板３０を軽い操作力でスムーズに回転させることができる。また、回転板３０の回転に伴って係合突起２８ｃとの接触位置がカム部３０ｄの頂点を乗り越えて反対側の斜面へと移行するため、カム部３０ｄの頂点を乗り越える際に生起されるクリック感（節度感）が回転板３０を介して操作摘み２９に伝達され、作業者はロック機構が解除されたことをクリック感を伴って知覚することができる。
【００３７】
このようにロックユニット１０の操作摘み２９を回転操作してロック機構をアンロック状態とした後、遊技盤９の左側部を支点として右側部を手前側に回動し、そのまま遊技盤９の左側部を機器本体２の凹所から引き抜くことにより、遊技盤９を機器本体２から取り外すことができる。
【００３８】
また、遊技盤９を機器本体２に取り付ける場合は上記と逆の手順を行えば良い。この場合、まず、機器本体２の凹所に対して遊技盤９の左側部を斜め前方から嵌め込んだ後、遊技盤９の左側部を支点に右側部を後方に向けて回動することにより、遊技盤９を機器本体２の前面に押し付けて装着する。
【００３９】
次に、この状態で操作摘み２９を反時計回りに回転操作することにより、垂直姿勢にあった操作摘み２９を横向き姿勢にする。これにより回転板３０の駆動突起３０ｂが図１６（ｃ）に示すアンロック位置から図１６（ａ）に示すロック位置まで回転し、それに伴って駆動部材２５が後部ケース２８の最奥部から開口端側に向かってスライド移動するため、駆動部材２５のロック部２５ａが機器本体２のロック孔２０に入り込んでロック状態となる。この場合も、回転板３０の回転に伴って係合突起２８ｃとの接触位置がカム部３０ｄの頂点を乗り越えて反対側の斜面へと移行するため、作業者はロック機構がロック状態となったことをクリック感を伴って知覚することができる。
【００４０】
以上説明したように、本実施形態例に係るパチンコ機では、遊技盤９を機器本体２に固定するためのロックユニット１０が遊技盤９側に設けられており、このロックユニット１０の構成部材である駆動部材２５をロック位置とアンロック位置との間で直線方向へスライド操作することによって、駆動部材２５が機器本体２に設けられたロック孔２０と係脱可能となっているため、遊技盤９の裏面にロック機構との当接を回避する逃げスペースを確保しなくても良く、その分だけ遊技盤９の裏面側の部品実装領域を拡大することができる。
【００４１】
また、ロックユニット１０が駆動部材２５をスライド移動させる操作部材２６を備えており、この操作部材２６が前部ケース２７の前面側に配置された操作摘み２９と背面側に配置された回転板３０とで構成されていると共に、回転板３０に設けた駆動突起３０ｂを駆動部材２５に設けた長孔２５ｂに挿入することにより、回転板３０の回転運動が駆動部材２５の直線運動に変換されるようになっているため、操作摘み２９の回転操作によって遊技盤９を機器本体２に対して簡単かつ確実にロック／アンロック状態とすることができる。
【００４２】
しかも、長孔２５ｂは駆動部材２５のスライド方向と交差する方向に延びるトラック形状をしており、駆動部材２５がロック位置に保持されているとき、長孔２５ｂの一端部側において駆動突起３０ｂの突出部３０ｃと長孔２５ｂの係止部２５ｃとを係合させているため、回転板３０が回転しなければ駆動部材２５をロック位置から移動させることができない構成となっている。したがって、ガラス扉３の右側部と機器本体２との間に存在する隙間からピアノ線や薄板等の不正具を差し込んだとしても、ロック位置にある駆動部材２５をアンロック位置へ移動させることはできず、遊技盤９をロック解除して背面側の制御処理装置に不正にアクセスするというゴト行為を確実に阻止することができる。
【００４３】
また、駆動部材２５の背面に凹溝２５ｄが形成されていると共に、後部ケース２８の内面に凹溝２５ｄの奥側端面と当接可能なストッパ突起２８ｂが形成されているため、これら凹溝２５ｄとストッパ突起２８ｂによって後部ケース２８の開放端から突出するロック部２５ａの最大突出量を規定することができる。したがって、各部材の寸法誤差や累積誤差等に起因して駆動部材２５と回転板３０の相対位置が多少変動したとしても、ロック部２５ａの先端がロック孔２０の内端面に衝突する手前で駆動部材２５を停止させることができる。
【符号の説明】
【００４４】
１  外枠
２  機器本体
３  ガラス扉
４  透明板
９  遊技盤
１０  ロックユニット
１２  遊技領域
２０  ロック孔
２１  ベース板
２１ａ  切欠き
２２  前面板
２４  支持部材
２５  駆動部材
２５ａ  ロック部
２５ｂ  長孔
２５ｃ  係止部
２５ｄ  凹溝
２５ｅ  ガイド突起
２６  操作部材
２７  前部ケース
２７ａ  凹所
２７ｂ  軸孔
２７ｃ  規制溝
２７ｄ  ガイドリブ
２８  後部ケース
２８ａ  ガイドレール
２８ｂ  ストッパ突起
２８ｃ  係合突起
２９  操作摘み
２９ａ  突起
３０  回転板
３０ａ  軸部
３０ｂ  駆動突起
３０ｃ  突出部
３０ｄ  カム部
３１  ネジ
【図１】
2017006543.tif 000003
【図２】
2017006543.tif 000004
【図３】
2017006543.tif 000005
【図４】
2017006543.tif 000006
【図５】
2017006543.tif 000007
【図６】
2017006543.tif 000008
【図７】
2017006543.tif 000009
【図８】
2017006543.tif 000010
【図９】
2017006543.tif 000011
【図１０】
2017006543.tif 000012
【図１１】
2017006543.tif 000013
【図１２】
2017006543.tif 000014
【図１３】
2017006543.tif 000015
【図１４】
2017006543.tif 000016
【図１５】
2017006543.tif 000017
【図１６】
2017006543.tif 000018